Podtech/llm-jp-corpus-v4-ja_patent huggingface dataset:
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
第１の通信標準規格を使用する第１の無線システムと通信を行い第１のインターネットプロトコルアドレスで識別される第１の無線端末から、第２の通信標準規格を使用する第２の無線システムと通信を行うよう構成され第２のＩＰアドレスで識別される第２の無線端末へ、継続中のインターネットプロトコル（ＩＰ）ベースの通信セッションのハンドオフ（ＨＯ）を提供する方法において、
前記第１の端末が、前記継続中のＩＰベースの通信セッションの前記第２の端末へのハンドオフを要求するステップと、
前記第１の端末が、前記第２の端末がオンであり前記第２のシステムに接続されていることを保証するステップと、
前記第２のシステムに対する識別子および前記第２の端末の前記ＩＰアドレスを含む、前記第２の端末の前記第２のシステムへの前記接続に対する接続情報を取得するステップと、
前記接続情報を取得する前記ステップに応答して、前記継続中のＩＰベースの通信セッションを前記第１の端末から前記第２の端末へリルーティングするステップと
を備えることを特徴とする方法。
【請求項２】
前記第１の端末が、前記第２の端末がオンであり前記第２のシステムに接続されていることを保証する前記ステップは、前記第１の端末のユーザに前記第２の端末がオンであり前記第２のシステムに接続されていると確認するのを促すことを含むことを特徴とする請求項１に記載の方法。
【請求項３】
接続情報を取得する前記ステップは、前記第１の端末のユーザから前記接続情報を取得することを含むことを特徴とする請求項１に記載の方法。
【請求項４】
接続情報を取得する前記ステップは、ホームロケーションレジストリ／ホーム加入者サービス（ＨＬＲ／ＨＳ）に問い合わせること含むことを特徴とする請求項１に記載の方法。
【請求項５】
リルーティングする前記ステップは、最適化されたルーティングモバイルＩＰヴァージョン４（ＭＩＰｖ４）を使用して実行され、前記第２の端末へ前記セッショントラフィックを指示することを特徴とする請求項１に記載の方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定手段と、
前記複数の撮影画像間の位置ずれを検出する位置ずれ検出手段と、
を有し、
前記複数の撮影画像間において前記焦点検出領域が一致している場合、前記位置ずれ検出手段は、前記第２の領域に対して設定する重み付け以上の重み付けを前記第１の領域に対して設定した上で前記位置ずれを検出することを特徴とする画像処理装置。
【請求項２】
前記領域判定手段は、前記撮影画像毎に、前記第１及び第２の領域以外の領域内で、前記第１の領域における測距結果から予め定められた範囲内の測距結果を示す領域を第３の領域として区分けし、
前記位置ずれ検出手段は、前記第３の領域における位置ずれを示す情報に対して、前記第１及び第２の領域に対して設定した重み付けを、夫々上限及び下限とする範囲内の重み付けを設定した上で前記位置ずれを検出することを特徴とする請求項１に記載の画像処理装置。
【請求項３】
複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定手段と、
前記複数の撮影画像間の位置ずれを検出する位置ずれ検出手段と、
を有し、
前記複数の撮影画像間に前記焦点検出領域が一致していないものが含まれている場合、前記位置ずれ検出手段は、前記第１の領域に対して設定する重み付け以上の重み付けを前記第２の領域に対して設定した上で前記位置ずれを検出することを特徴とする画像処理装置。
【請求項４】
前記領域判定手段は、前記撮影画像毎に、前記第１及び第２の領域以外の領域内で、前記第２の領域における測距結果から予め定められた範囲内の測距結果を示す領域を第３の領域として区分けし、
前記位置ずれ検出手段は、前記第３の領域における位置ずれを示す情報に対して、前記第１及び第２の領域に対して設定した重み付けを、夫々下限及び上限とする範囲内の重み付けを設定した上で前記位置ずれを検出することを特徴とする請求項３に記載の画像処理装置。
【請求項５】
前記位置ずれ検出手段は、前記撮影画像の撮像時の被写界深度に応じて前記重み付けの比率を変更することを特徴とする請求項１乃至４のいずれか１項に記載の画像処理装置。
【請求項６】
複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定ステップと、
前記複数の撮影画像間の位置ずれを検出する位置ずれ検出ステップと、
を有し、
前記複数の撮影画像間において前記焦点検出領域が一致している場合、前記位置ずれ検出ステップにおいて、前記第２の領域に対して設定する重み付け以上の重み付けを前記第１の領域に対して設定した上で前記位置ずれを検出することを特徴とする画像処理方法。
【請求項７】
複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定ステップと、
前記複数の撮影画像間の位置ずれを検出する位置ずれ検出ステップと、
を有し、
前記複数の撮影画像間に前記焦点検出領域が一致していないものが含まれている場合、前記位置ずれ検出ステップにおいて、前記第１の領域に対して設定する重み付け以上の重み付けを前記第２の領域に対して設定した上で前記位置ずれを検出することを特徴とする画像処理方法。
【手続補正２】
【補正対象書類名】明細書
【補正対象項目名】００１０
【補正方法】変更
【補正の内容】
【００１０】
本発明に係る第１の画像処理装置は、複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定手段と、前記複数の撮影画像間の位置ずれを検出する位置ずれ検出手段と、を有し、前記複数の撮影画像間において前記焦点検出領域が一致している場合、前記位置ずれ検出手段は、前記第２の領域に対して設定する重み付け以上の重み付けを前記第１の領域に対して設定した上で前記位置ずれを検出することを特徴とする。
本発明に係る第２の画像処理装置は、複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定手段と、前記複数の撮影画像間の位置ずれを検出する位置ずれ検出手段と、を有し、前記複数の撮影画像間に前記焦点検出領域が一致していないものが含まれている場合、前記位置ずれ検出手段は、前記第１の領域に対して設定する重み付け以上の重み付けを前記第２の領域に対して設定した上で前記位置ずれを検出することを特徴とする。
【手続補正３】
【補正対象書類名】明細書
【補正対象項目名】００１１
【補正方法】変更
【補正の内容】
【００１１】
本発明に係る第１の画像処理方法は、複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定ステップと、前記複数の撮影画像間の位置ずれを検出する位置ずれ検出ステップと、を有し、前記複数の撮影画像間において前記焦点検出領域が一致している場合、前記位置ずれ検出ステップにおいて、前記第２の領域に対して設定する重み付け以上の重み付けを前記第１の領域に対して設定した上で前記位置ずれを検出することを特徴とする。
本発明に係る第２の画像処理方法は、複数の撮影画像のそれぞれに対して、撮影時に合焦した焦点検出領域を特定し、前記焦点検出領域から予め定められた範囲内にある第１の領域と被写体までの距離が最も遠い第２の領域との少なくとも２つの領域に区分けする領域判定ステップと、前記複数の撮影画像間の位置ずれを検出する位置ずれ検出ステップと、を有し、前記複数の撮影画像間に前記焦点検出領域が一致していないものが含まれている場合、前記位置ずれ検出ステップにおいて、前記第１の領域に対して設定する重み付け以上の重み付けを前記第２の領域に対して設定した上で前記位置ずれを検出することを特徴とする。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
記録媒体に記録された映像情報を再生する映像再生装置であって、
ネットワークに接続するためのネットワークインターフェースと、
前記記録媒体に記録されたネットワークサーバを指定する情報に従って、前記記録媒体に記録された映像情報に固有の副コンテンツを蓄積しているネットワークサーバと前記ネットワークインターフェースを介して通信し、前記副コンテンツの所在に関する情報を記述した定義情報を前記ネットワークサーバより取得する副コンテンツ取得手段と、
前記記録媒体に記録された映像情報、及び、前記副コンテンツ取得手段によって取得された定義情報に対応する副コンテンツを再生する再生手段と、
前記再生手段による前記映像情報の再生状態に応じて、前記副コンテンツ取得手段によって取得可能となる定義情報を指定する指定情報を更新する更新手段と
を備えることを特徴とする映像再生装置。
【請求項２】
前記定義情報は、副コンテンツをダウンロード再生するためのリンク情報であることを特徴とする請求項１に記載の映像再生装置。
【請求項３】
前記副コンテンツ取得手段は、前記映像情報の再生状態に基づいて指定される副コンテンツに係る定義情報を取得することを特徴とする請求項１又は２に記載の映像再生装置。
【請求項４】
前記副コンテンツ取得手段は、前記映像情報の再生の初期段階においては、特定の副コンテンツに係る定義情報のみを取得することを特徴とする請求項３に記載の映像再生装置。
【請求項５】
前記副コンテンツ取得手段は、前記映像情報の再生完了後においては、前記特定の副コンテンツに係る定義情報とは異なる定義情報を取得することを特徴とする請求項４に記載の映像再生装置。
【請求項６】
前記更新手段は、前記映像情報の再生回数が所定回数となった場合に、新たな副コンテンツに係る定義情報が取得可能となるよう前記指定情報を更新することを特徴とする請求項１乃至３のいずれか１項に記載の映像再生装置。
【請求項７】
ネットワークに接続するためのネットワークインターフェースを有し、記録媒体に記録された映像情報を再生する映像再生装置の制御方法であって、
前記記録媒体に記録されたネットワークサーバを指定する情報に従って、前記記録媒体に記録された映像情報に固有の副コンテンツを蓄積しているネットワークサーバと前記ネットワークインターフェースを介して通信し、前記副コンテンツの所在に関する情報を記述した定義情報を前記ネットワークサーバより取得する副コンテンツ取得工程と、
前記記録媒体に記録された映像情報、及び、前記副コンテンツ取得工程によって取得された定義情報に対応する副コンテンツを再生する再生工程と、
前記再生工程による前記映像情報の再生状態に応じて、前記副コンテンツ取得工程によって取得可能となる定義情報を指定する指定情報を更新する更新工程と
を備えることを特徴とする映像再生装置の制御方法。
【請求項８】
ネットワークに接続するためのネットワークインターフェースを有するコンピュータが読込み実行することで、前記コンピュータを、記録媒体に記録された映像情報を再生する映像再生装置として機能させるコンピュータプログラムであって、
前記コンピュータを、
前記記録媒体に記録されたネットワークサーバを指定する情報に従って、前記記録媒体に記録された映像情報に固有の副コンテンツを蓄積しているネットワークサーバと前記ネットワークインターフェースを介して通信し、前記副コンテンツの所在に関する情報を記述した定義情報を前記ネットワークサーバより取得する副コンテンツ取得手段、
前記記録媒体に記録された映像情報、及び、前記副コンテンツ取得手段によって取得された定義情報に対応する副コンテンツを再生する再生手段、
前記再生手段による前記映像情報の再生状態に応じて、前記副コンテンツ取得手段によって取得可能となる定義情報を指定する指定情報を更新する更新手段
として機能させることを特徴とするコンピュータプログラム。
【請求項９】
請求項８に記載のコンピュータプログラムを格納したことを特徴とするコンピュータ可読記憶媒体。
【手続補正２】
【補正対象書類名】明細書
【補正対象項目名】発明の名称
【補正方法】変更
【補正の内容】
【発明の名称】映像再生装置及びその制御方法、並びにコンピュータプログラム及びコンピュータ可読記憶媒体
【手続補正３】
【補正対象書類名】明細書
【補正対象項目名】００２３
【補正方法】変更
【補正の内容】
【００２３】
この課題を解決するため、例えば本発明の映像再生装置は以下の構成を備える。すなわち、
記録媒体に記録された映像情報を再生する映像再生装置であって、
ネットワークに接続するためのネットワークインターフェースと、
前記記録媒体に記録されたネットワークサーバを指定する情報に従って、前記記録媒体に記録された映像情報に固有の副コンテンツを蓄積しているネットワークサーバと前記ネットワークインターフェースを介して通信し、前記副コンテンツの所在に関する情報を記述した定義情報を前記ネットワークサーバより取得する副コンテンツ取得手段と、
前記記録媒体に記録された映像情報、及び、前記副コンテンツ取得手段によって取得された定義情報に対応する副コンテンツを再生する再生手段と、
前記再生手段による前記映像情報の再生状態に応じて、前記副コンテンツ取得手段によって取得可能となる定義情報を指定する指定情報を更新する更新手段とを備える。
【手続補正書】
【提出日】平成21年5月21日(2009.5.21)
【手続補正１】
【補正対象書類名】特許請求の範囲
【補正対象項目名】請求項１
【補正方法】変更
【補正の内容】
【請求項１】
ホスファチジルイノシタイド３キナーゼのサブユニットｐ８５αの機能が欠損した非ヒト動物の注意欠陥多動性障害のモデル動物としての使用。
【手続補正２】
【補正対象書類名】特許請求の範囲
【補正対象項目名】請求項２
【補正方法】変更
【補正の内容】
【請求項２】
非ヒト動物が、マウスである請求項１記載の注意欠陥多動性障害のモデル動物としての使用。
【手続補正書】
【提出日】平成21年1月6日(2009.1.6)
【手続補正１】
【補正対象書類名】明細書
【補正対象項目名】００４０
【補正方法】変更
【補正の内容】
【００４０】
実施の形態３．
先の各実施の形態例で示した速度指令演算器１２は、磁束振幅指令と磁束振幅偏差とに基づいて、アクチュエータ２が動作すべきアクチュエータ速度指令を演算していたが、磁束振幅指令の代わりに、磁束推定器１０が出力する推定磁束振幅を用いても良い。
以下、この発明の実施の形態３を図１１に基づいて説明する。図１１において、速度指令演算器１２ｂは、磁束推定器１０が出力する推定磁束振幅と減算器１１が出力する磁束振幅偏差とに基づいて、アクチュエータ２が動作すべきアクチュエータ速度指令を演算する。なお、その他の構成は、実施の形態１と同一のものであり、その説明を省略する。
【手続補正２】
【補正対象書類名】明細書
【補正対象項目名】００４２
【補正方法】変更
【補正の内容】
【００４２】
実施の形態４．
先の実施の形態１、２で示した速度指令演算器１２は、磁束振幅指令と磁束振幅偏差とに基づいて、アクチュエータ２が動作すべきアクチュエータ速度指令を演算していたが、磁束振幅偏差を増幅してアクチュエータ２が動作すべきアクチュエータ速度指令を演算しても良い。
以下、この発明の実施の形態４を図１２に基づいて説明する。図１２において、速度指令演算器１２ｃは、減算器１１が出力する磁束振幅偏差に基づいて、アクチュエータ２が動作すべきアクチュエータ速度指令を演算する。なお、その他の構成は、実施の形態１と同一のものであり、その説明を省略する。
【手続補正３】
【補正対象書類名】明細書
【補正対象項目名】００７６
【補正方法】変更
【補正の内容】
【００７６】
実施の形態７．
この実施の形態７では、交流回転機１の回転位置を検出する位置検出手段８０１と、この位置検出手段８０１から得られた位置に基づいて回転速度を演算する回転速度演算手段８０２とを備え、アクチュエータ速度指令演算手段９ｆは、回転速度演算手段８０２から得た回転速度と検出電流と電圧指令と磁束振幅指令とに基づいてアクチュエータ２が動作すべきアクチュエータ速度指令をアクチュエータ制御手段１４に出力するようにしている。
【手続補正４】
【補正対象書類名】明細書
【補正対象項目名】００９６
【補正方法】変更
【補正の内容】
【００９６】
また、この発明の各変形例において、速度指令演算手段は、磁束振幅指令と推定磁束振幅との偏差を入力とし、当該偏差入力に少なくとも比例演算を施しアクチュエータ速度指令として出力することで、推定磁束振幅が磁束振幅指令に確実に追従する制御特性が得られる。
【手続補正５】
【補正対象書類名】明細書
【補正対象項目名】０１０５
【補正方法】変更
【補正の内容】
【０１０５】
【図１】本発明の実施の形態１による交流回転機の制御装置を示すブロック図である。
【図２】本発明の実施の形態１における交流回転機１およびアクチュエータ２の構成を示す図である。
【図３】本発明の実施の形態１における固定子１０１、１０２を示す側面図である。
【図４】回転速度と磁束振幅指令との関係を示す図である。
【図５】本発明の実施の形態１において、第１の固定子１０１と第２の固定子１０２との位相差Δθと交流回転機１の回転子磁束の磁束振幅との関係をプロットした図である。
【図６】本発明の実施の形態１による交流回転機１における速度指令演算器１２の内部構成を示す図である。
【図７】図６の速度指令演算器１２において、ゲインテーブル３０１が磁束振幅指令に基づいて出力するゲインをプロットした図である。
【図８】本発明の実施の形態１による交流回転機１における電流指令演算器１３の内部構成を示した図である。
【図９】図８の電流指令演算器１３において、ゲインテーブル４０１がアクチュエータ速度指令に基づいて出力するゲインをプロットした図である。
【図１０】本発明の実施の形態２による交流回転機１の制御装置を示すブロック図である。
【図１１】本発明の実施の形態３による交流回転機１の制御装置を示すブロック図である。
【図１２】本発明の実施の形態４による交流回転機１の制御装置を示すブロック図である。
【図１３】本発明の実施の形態５による交流回転機１の制御装置を示すブロック図である。
【図１４】図１３の位置指令演算器５０１が磁束振幅指令に基づいてアクチュエータ２が存在すべき位置指令（位相差指令Δθ＊）を演算するためのテーブルである。
【図１５】図１３の位置推定器５０２がアクチュエータ２の推定位置（推定位相差Δθ）を演算するためのテーブルである。
【図１６】本発明の実施の形態６による交流回転機１の制御装置を示すブロック図である。
【図１７】図１６の磁束推定器１０ｅの内部構成を示す図である。
【図１８】本発明の実施の形態７による交流回転機１の制御装置を示すブロック図である。
【図１９】本発明の実施の形態８による交流回転機１の制御装置を示すブロック図である。
【図２０】図１９の磁束推定器１０ｇの内部構成を示す図である。
【図２１】本発明の実施の形態９による交流回転機１の制御装置を示すブロック図である。
【図２２】本発明の実施の形態１０による交流回転機１の制御装置を示すブロック図である。
【図２３】本発明の実施の形態１１による交流回転機１ｉおよびアクチュエータ２ｉの構成を示した図である。
【図２４】図２３の交流回転機１ｉおよびアクチュエータ２ｉの側面について示した図である。
【手続補正６】
【補正対象書類名】図面
【補正対象項目名】図３
【補正方法】変更
【補正の内容】
【図３】
2008005604.tif 000001
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の盤面に設けられ、前記遊技領域に向けて打ち込まれた遊技球を受け入れ可能な始動口と、
前記始動口への遊技球の受け入れを検出し、当該遊技球の受入検出に応じて受入信号を出力する受入検出装置と、
前記始動口に遊技球が受け入れられたことに基づいて、賞としての所定量の遊技球を遊技者に与える遊技球付与手段と、
前記受入検出装置から出力された受入信号を受信し、当該受信した受入信号の検知を行う受入検知手段、
前記受入検知手段によって受入信号の受信が検知されたことに基づいて、前記遊技球付与手段による遊技球の付与制御を行う遊技球付与制御手段、
前記受入検知手段によって受入信号が検知されたことに基づいて抽選を行う抽選手段、および
前記抽選手段による抽選において大当たりに当選したことに応じて遊技者に有利な大当たり遊技を実行する大当たり遊技実行手段、
を少なくとも有する遊技制御手段と、を備え、
前記始動口には、可動部材を有する特定始動口が含まれていると共に、
前記特定始動口から遊技盤の奥側に向けた方向には、当該特定始動口から受け入れた遊技球の通路となる特定始動受入通路が形成されており、
前記可動部材は、
前記特定始動受入通路内に収容される収容位置と、前記遊技盤の盤面から遊技者側に向けて突出する突出位置と、の間で変位可能であって、当該突出位置にあるときに、前記遊技領域に向けて打ち込まれた遊技球を受け止め可能であり且つ当該受け止めた遊技球を前記特定始動受入通路に誘導可能であると共に、当該突出位置から当該収容位置への切り替わりに際し、受け止めた遊技球を溢す受止誘導部材、および
前記特定始動口の開口領域を小さくする狭小位置と、当該狭小位置よりも前記特定始動受入通路内側であって且つ当該特定始動口の開口領域を当該狭小位置にあるときよりも大きくする広大位置と、の間で変位可能であって、当該狭小位置にあるときは当該特定始動口への遊技球の受け入れが不可能である一方、当該広大位置にあるときは当該特定始動口への遊技球の受け入れが可能となる受入防止部材、
を有しており、
可動部材を有する特定始動口は、前記受止誘導部材および前記受入防止部材を有する前記可動部材を構成要素とする特定始動口のみから構成されており、
前記遊技制御手段は、
前記受止誘導部材を、前記収容位置と前記突出位置との間で変位可能に可動させる受止誘導可動制御手段、および
前記受入防止部材を、前記狭小位置と前記広大位置との間で変位可能に可動させる受入防止可動制御手段をさらに有すると共に、
特定条件の成立に応じて、前記受止誘導可動制御手段により前記受止誘導部材を前記収容位置から前記突出位置に可動させると共に、前記受入防止可動制御手段により前記受入防止部材を前記狭小位置から前記広大位置に可動させることによって、前記特定始動口への遊技球の受け入れが不可能な拒球態様から当該特定始動口への遊技球の受け入れが可能な許球態様となるように制御する
ことを特徴とする遊技機。
【請求項２】
遊技領域を有し、当該遊技領域に向けて遊技球が打ち込まれる遊技盤と、
前記遊技盤に設けられ、前記遊技領域に向けて打ち込まれた遊技球を受け入れ可能な始動口と、
前記始動口への遊技球の受け入れを検出し、当該遊技球の受入検出に応じて受入信号を出力する受入検出装置と、
前記始動口に遊技球が受け入れられたことに基づいて、賞としての所定量の遊技球を遊技者に与える遊技球付与手段と、
前記受入検出装置から出力された受入信号を受信し、当該受信した受入信号の検知を行う受入検知手段、
前記受入検知手段によって受入信号の受信が検知されたことに基づいて、前記遊技球付与手段による遊技球の付与制御を行う遊技球付与制御手段、
前記受入検知手段によって受入信号が検知されたことに基づいて抽選を行う抽選手段、および
前記抽選手段による抽選において大当たりに当選したことに応じて遊技者に有利な大当たり遊技を実行する大当たり遊技実行手段、
を少なくとも有する遊技制御手段と、
を備え、
前記始動口は、可動部材を有する特定始動口であって、
前記特定始動口から遊技盤の奥側に向けた方向には、当該特定始動口から受け入れた遊技球の通路となる特定始動受入通路が形成されており、
前記可動部材は、
前記特定始動受入通路内に収容される収容位置と、前記遊技盤の盤面から遊技者側に向けて突出する突出位置と、の間で変位可能であって、当該突出位置にあるときに、前記遊技領域に向けて打ち込まれた遊技球を受け止め可能であり且つ当該受け止めた遊技球を前記特定始動受入通路に誘導可能であると共に、当該突出位置から当該収容位置への切り替わりに際して受け止めた遊技球を溢す受止誘導部材、および
前記特定始動口の開口領域を小さくする狭小位置と、当該狭小位置よりも前記特定始動受入通路内側であって且つ当該特定始動口の開口領域を当該狭小位置にあるときよりも大きくする広大位置と、の間で変位可能であって、当該狭小位置にあるときは当該特定始動口への遊技球の受け入れが不可能である一方、当該広大位置にあるときは当該特定始動口への遊技球の受け入れが可能となる受入防止部材、
を有しており、
前記遊技制御手段は、
前記受止誘導部材を、前記収容位置と前記突出位置との間で変位可能に可動させる受止誘導可動制御手段、および
前記受入防止部材を、前記狭小位置と前記広大位置との間で変位可能に可動させる受入防止可動制御手段をさらに有すると共に、
特定条件の成立に応じて、前記受止誘導可動制御手段により前記受止誘導部材を前記収容位置から前記突出位置に可動させると共に、前記受入防止可動制御手段により前記受入防止部材を前記狭小位置から前記広大位置に可動させることによって、前記特定始動口への遊技球の受け入れが不可能な拒球態様から当該特定始動口への遊技球の受け入れが可能な許球態様となるように制御する
ことを特徴とする遊技機。
【請求項３】
前記遊技制御手段は、
常には拒球態様に維持し且つ前記特定条件が成立した場合にのみ拒球態様から許球態様に切り替わると共に、当該許球態様に切り替わってから所定時間が経過したのちに再び拒球態様に切り替わるように、前記受止誘導部材および前記受入防止部材を、それぞれ、前記受止誘導可動制御手段および前記受入防止可動制御手段によって制御する
ことを特徴とする請求項１または２に記載の遊技機。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ可能な始動口と、
前記始動口への遊技球の受け入れを検出し、当該遊技球の受入検出に応じて受入信号を出力する受入検出装置と、
前記始動口に遊技球が受け入れられたことに基づいて、賞としての所定量の遊技球を遊技者に与える遊技球付与手段と、
前記受入検出装置から出力された受入信号を受信し、当該受信した受入信号の検知を行う受入検知手段、
前記受入検知手段によって受入信号の受信が検知されたことに基づいて、前記遊技球付与手段による遊技球の付与制御を行う遊技球付与制御手段、
前記受入検知手段によって受入信号が検知されたことに基づいて抽選を行う抽選手段、および
前記抽選手段による抽選において大当たりに当選したことに応じて遊技者に有利な大当たり遊技を実行する大当たり遊技実行手段、
を少なくとも有する遊技制御手段と、
を備え、
前記始動口には、可動部材を有する特定始動口が含まれており、
前記可動部材は、前記特定始動口への遊技球の受け入れが不可能となる拒球態様と、当該特定始動口への遊技球の受け入れが可能となる許球態様との間で変位可能な可動部材であると共に、
可動部材を有する特定始動口は、前記拒球態様と前記許球態様との間で変位可能な前記可動部材を構成要素とする特定始動口のみから構成されており、
前記遊技制御手段は、
前記可動部材を、常には拒球態様に維持し且つ特定条件が成立した場合にのみ拒球態様から許球態様に切り替わるように制御すると共に、当該許球態様に切り替わってから所定時間が経過したのちに再び拒球態様に切り替わるように制御する可動制御手段をさらに有し、
前記可動部材についての許球態様への切り替わりから再び切り替わる前記拒球態様への切り替わりまでの期間を有効期間として設定し、
前記有効期間外に遊技球が前記特定始動口に受け入れられる場合には、前記受入検出装置から出力された受入信号が前記受入検知手段によって検知されるにも拘わらず、少なくとも前記遊技球付与制御手段による遊技球の付与制御を禁止する一方、
前記有効期間内に遊技球が前記特定始動口に受け入れられる場合にのみ、前記受入検出装置から出力された受入信号が前記受入検知手段によって検知されたことに応じて、前記遊技球付与制御手段による遊技球の付与制御および前記抽選手段による抽選を行う
ことを特徴とする遊技機。
【請求項２】
遊技領域を有し、当該遊技領域に向けて遊技球が打ち込まれる遊技盤と、
前記遊技領域に向けて打ち込まれた遊技球を受け入れ可能な始動口と、
前記始動口への遊技球の受け入れを検出し、当該遊技球の受入検出に応じて受入信号を出力する受入検出装置と、
前記始動口に遊技球が受け入れられたことに基づいて、賞としての所定量の遊技球を遊技者に与える遊技球付与手段と、
前記受入検出装置から出力された受入信号を受信し、当該受信した受入信号の検知を行う受入検知手段、
前記受入検知手段によって受入信号の受信が検知されたことに基づいて、前記遊技球付与手段による遊技球の付与制御を行う遊技球付与制御手段、
前記受入検知手段によって受入信号が検知されたことに基づいて抽選を行う抽選手段、および
前記抽選手段による抽選において大当たりに当選したことに応じて遊技者に有利な大当たり遊技を実行する大当たり遊技実行手段、
を少なくとも有する遊技制御手段と、
を備え、
前記始動口は、可動部材を有する特定始動口であって、
前記可動部材は、前記特定始動口への遊技球の受け入れが不可能となる拒球態様と、当該特定始動口への遊技球の受け入れが可能となる許球態様と、の間で変位可能な可動部材であり、
前記遊技制御手段は、
前記可動部材を、常には拒球態様に維持し且つ特定条件が成立した場合にのみ拒球態様から許球態様に切り替わるように制御すると共に、当該許球態様に切り替わってから所定時間が経過したのちに再び拒球態様に切り替わるように制御する可動制御手段をさらに有し、
前記可動部材についての許球態様への切り替わりから再び切り替わる前記拒球態様への切り替わりまでの期間を有効期間として設定し、
前記有効期間外に遊技球が前記特定始動口に受け入れられる場合には、前記受入検出装置から出力された受入信号が前記受入検知手段によって検知されるにも拘わらず、少なくとも前記遊技球付与制御手段による遊技球の付与制御を禁止する一方、
前記有効期間内に遊技球が前記特定始動口に受け入れられる場合にのみ、前記受入検出装置から出力された受入信号が前記受入検知手段によって検知されたことに応じて、前記遊技球付与制御手段による遊技球の付与制御および前記抽選手段による抽選を行う
ことを特徴とする遊技機。
【請求項３】
前記遊技領域に向けて打ち込まれた遊技球の受け入れまたは通過が可能であると共に、前記特定条件が成立するための契機となる契機部をさらに備えており、
前記遊技制御手段は、
前記遊技領域に向けて打ち込まれた遊技球が前記契機部に受け入れられたことまたは通過したことに応じて当該契機部への遊技球の受け入れまたは通過を検出する契機検出手段、および
前記契機検出手段によって契機部への遊技球の受け入れまたは通過が検出されたことを契機として前記可動部材の可動制御を行うか否かの抽選を行う可動抽選手段、
をさらに有しており、
前記可動制御手段は、
前記特定条件としての前記可動抽選手段による抽選において当選したことに応じて、前記可動部材を拒球態様から許球態様に変位させるための可動制御を行う
ことを特徴とする請求項１または２に記載の遊技機。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向け遊技球が打ち込まれる遊技盤と、
該遊技盤の遊技領域に配置され、遊技球が入賞可能な始動口と、
該始動口に遊技球が入賞したことを検出する始動検出手段と、
前記遊技領域に配置され、閉状態と開状態とを変化可能となっており、前記閉状態から前記開状態に変化させられることで遊技球が入賞可能となる開閉装置と、
該開閉装置に遊技球が入賞したことを検出する入賞検出手段と、
少なくとも図柄の変動表示を行うための変動表示手段と、
少なくとも変動表示のパターンである複数の変動パターンを記憶する変動情報記憶手段と、
前記始動検出手段による遊技球の検出に基づいて抽選を行う抽選手段、
前記変動情報記憶手段に記憶された前記変動パターンに基づいて、前記変動表示手段に、変動表示を行い、前記抽選手段による抽選結果に応じた停止表示を行う変動表示制御手段、
前記抽選手段による抽選に当選したことに応じ、前記開閉装置の開閉動作を行い、遊技者に遊技価値を付与可能な大当たり遊技を実行する大当たり遊技実行手段
を少なくとも有する遊技制御手段と
を備えた遊技機において、
前記変動情報記憶手段は、前記変動表示に用いられる図柄に関する情報を記憶する図柄情報記憶手段を含み、
前記遊技制御手段は、前記図柄情報記憶手段に記憶された情報を変更することにより、通常図柄の一部を、見た目の異なる図柄である特殊図柄へ変更可能な図柄変更手段を有しており、
前記図柄情報記憶手段は、前記変更された前記特殊図柄に関する情報を、少なくとも次回の変動表示まで記憶し、
前記変動表示制御手段は、前記図柄情報記憶手段に記憶された情報に基づいて、前記特殊図柄を含む図柄の変動表示を実行可能となっており、
前記遊技制御手段は、さらに、前記変動表示手段によって前記特殊図柄が停止表示されると、前記図柄情報記憶手段に記憶された情報を変更することにより、前記特殊図柄を前記通常図柄に復元可能な図柄復元手段を有している
ことを特徴とする遊技機。
【請求項２】
前記図柄変更手段は、特定の通常図柄を、前記特殊図柄に変更可能である
ことを特徴とする請求項１に記載の遊技機。
【請求項３】
前記図柄変更手段は、前記特殊図柄への変更数を決定する変更数決定手段と、
該変更数決定手段にて決定される個数分だけ前記特定の通常図柄を前記特殊図柄へ変更する変更手段とを有する
ことを特徴とする請求項２に記載の遊技機。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技媒体が打ち込まれる遊技盤と、
前記遊技領域に向けて打ち込まれた遊技媒体を受け入れ可能な始動口と、
複数の図柄の変動表示および効果音を、所定の遊技態様として導出可能な遊技態様導出手段と、
遊技領域に向けて打ち込まれた遊技媒体が前記始動口に受け入れられたことを検出する始動検出手段、
前記始動検出手段による遊技媒体の検出に応じて少なくとも大当たりに当選したか否かの判定を行う抽選手段、
前記所定の遊技態様および前記抽選手段による抽選結果を、前記遊技態様導出手段に導出する遊技態様導出制御手段、
複数の図柄の変動表示が行われる複数図柄変動期間を経たのちに前記抽選手段による外れの抽選結果が導出される外れ遊技態様と、当該複数図柄変動期間およびリーチ図柄による変動表示が行われるリーチ変動期間を経たのちに前記抽選手段による抽選結果が導出されるリーチ遊技態様と、を少なくとも含む複数の遊技態様を記憶する遊技態様記憶手段、
および、前記抽選手段による抽選において大当たりに当選したことに応じて大当たり遊技を実行する大当たり遊技実行手段、を少なくとも有する遊技制御手段と
を備え、
前記遊技態様導出制御手段は、
前記抽選手段による抽選結果が外れであるときは、前記外れ遊技態様または前記リーチ遊技態様を前記遊技態様導出手段に導出すると共に、
前記抽選手段による抽選結果が大当たりであるときは、前記リーチ遊技態様を前記遊技態様導出手段に導出することが可能であって、
さらに、前記外れ遊技態様には、特殊外れ遊技態様および通常外れ遊技態様が含まれていると共に、
前記リーチ遊技態様には、通常リーチ遊技態様および特殊リーチ遊技態様が含まれており、
前記特殊外れ遊技態様は、
前記複数図柄変動期間において、所定の効果音および複数の図柄の変動表示が導出されたのちに当該複数の図柄の変動表示に代えて特殊表示が導出され、当該特殊表示が導出されたことを契機として当該所定の効果音に代わる所定の楽曲の一般楽音が導出されると共に当該複数の図柄の変動表示が再び導出され、その後、当該複数の図柄の停止表示が導出される遊技態様であり、
前記通常外れ遊技態様は、
前記複数図柄変動期間において、所定の効果音および複数の図柄の変動表示が導出されたのち、前記特殊表示が表示されることなく、当該複数の図柄の停止表示が導出される遊技態様であり、
前記通常リーチ遊技態様は、
前記複数図柄変動期間において、所定の効果音および複数の図柄の変動表示が導出されたのち、前記特殊表示が表示されることなく、前記リーチ変動期間において、当該所定の効果音に代わる所定の楽曲の特定部分を含む特定楽音およびリーチ図柄による変動表示が導出される遊技態様であり、
前記特殊リーチ遊技態様は、
前記複数図柄変動期間において、所定の効果音および複数の図柄の変動表示が導出されたのちに当該複数の図柄の変動表示に代えて特殊表示が表示され、当該特殊表示が導出されたことを契機として当該所定の効果音に代わる所定の楽曲の一般楽音が導出されると共に当該複数の図柄の変動表示が再び導出され、前記リーチ変動期間において、当該所定の楽曲と同一の楽曲の特定楽音が導出されると共に、リーチ図柄による変動表示として、前記通常リーチ遊技態様における変動表示よりも前記抽選手段による抽選に当選している期待感が高い変変動表示が導出される遊技態様であって、
前記遊技制御手段は、
前記遊技態様導出制御手段によって前記遊技態様導出手段に導出する遊技態様を、前記遊技態様記憶手段に記憶される複数の遊技態様のなかから選択決定する遊技態様決定手段をさらに有しており、
前記遊技態様決定手段は、
前記抽選手段による抽選結果が外れであるときは、前記遊技態様導出手段に導出する遊技態様として、前記特殊外れ遊技態様、前記通常外れ遊技態様、前記特殊リーチ遊技態様および前記通常リーチ遊技態様のうちいずれかの遊技態様に選択的に決定する一方、
前記抽選手段による抽選結果が大当たりであるときは、前記遊技態様導出手段に導出する遊技態様として、前記特殊外れ遊技態様および前記通常遊技態様のいずれにも決定されることなく、前記特殊リーチ遊技態様および前記通常リーチ遊技態様のうちいずれかの遊技態様に選択的に決定する
ことを特徴とする遊技機。
【請求項２】
前記抽選手段による抽選結果である大当たりには長当たりおよび短当たりが含まれており、
前記大当たり遊技実行手段は、
前記抽選手段による抽選において当選した大当たりが長当たりであるときに、遊技者に多量の遊技媒体の払い出しが可能となる長当たり遊技を実行する長当たり遊技実行手段と、
前記抽選手段による抽選において当選した大当たりが短当たりであるときに、前記長当たり遊技よりも遊技者に払い出される遊技媒体が少量となる短当たり遊技を実行する短当たり遊技実行手段と、を有すると共に、
前記遊技態様記憶手段は、
前記複数図柄変動期間において、所定の効果音および複数の図柄の変動表示が導出されたのちに当該複数の図柄の変動表示に代えて特殊表示が導出され、当該特殊表示が導出されたことを契機として当該所定の効果音に代わる所定の楽曲の一般楽音が導出されると共に当該複数の図柄の変動表示が再び導出され、その後、当該複数の図柄の停止表示が導出される前記特殊外れ遊技態様と極似する短当たり遊技態様を、さらに記憶しており、
前記遊技態様決定手段は、
前記抽選手段による抽選結果が大当たりであったとしても、当該大当たりが短当たりであるときは、前記遊技態様導出手段に導出する遊技態様として前記特殊リーチ遊技態様に決定することなく、前記短当たり遊技態様に決定する
ことを特徴とする請求項１に記載の遊技機。
【請求項３】
前記特殊外れ態様は第１の特殊外れ遊技態様であると共に、当該外れ遊技態様には、さらに第２の特殊外れ遊技態様が含まれており、
前記第１の特殊外れ遊技態様は、
前記複数図柄変動期間において、前記特殊表示が前記所定の楽曲の一般楽音および当該特殊表示の導出を契機として再び導出される複数の図柄の変動表示に先だって導出される遊技態様であり、
前記第２の特殊外れ遊技態様は、
前記複数図柄変動期間において、所定の効果音および複数の図柄の変動表示が導出されたのちに当該複数の図柄の変動表示に代えて特殊表示が導出され、当該特殊表示が表示されたのちに所定の楽曲が導出されることなく当該所定の効果音および当該複数の図柄の変動表示が再び導出される遊技態様であり、
前記特殊リーチ遊技態様は、
前記複数図柄変動期間において、前記特殊表示が前記所定の楽曲の一般楽音および当該特殊表示の導出を契機として再び導出される複数の図柄の変動表示に先だって導出される遊技態様である
ことを特徴とする請求項１または２に記載の遊技機。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
医用器具の位置および方位を検出する検出手段と、
前記医用器具を使用する以前に取得された医用画像データを保存する保存手段と、
前記医用画像データ中における臓器と器官との少なくとも一方の、位置と方向との少なくとも一方を、被検者の体位に合わせて補正する補正手段と、
前記検出手段により検出した前記医用器具の位置に基づいて、前記補正手段が補正した前記医用画像データにおける前記医用器具の位置を算出する算出手段と、
を具備したことを特徴とする医用ガイドシステム。
【請求項２】
前記保存手段は、前記医用画像データとして、前記医用器具を使用する以前に取得された被検者本人の本人医用画像データを保存するものであり、
前記補正手段は、他の被検者から取得した、臓器と器官との少なくとも一方の、位置と方向との少なくとも一方の、体位の違いに伴う変位を保持しており、前記変位に基づいて、前記本人医用画像データ中における臓器と器官との少なくとも一方の、位置と方向との少なくとも一方を、体位に合わせて補正するものであることを特徴とする請求項１に記載の医用ガイドシステム。
【請求項３】
前記保存手段は、前記医用画像データとして、前記医用器具を使用する以前に取得された被検者本人の本人医用画像データと、該本人医用画像データを取得したときの被検者と同一体位の他の被検者から前記医用器具を使用する以前に取得された第１の参照用医用画像データと、該本人医用画像データを取得したときの被検者とは異なる体位の前記他の被検者から前記医用器具を使用する以前に取得された第２の参照用医用画像データと、を保存するものであり、
前記補正手段は、前記本人医用画像データと、前記第１の参照用医用画像データと、に基づいて、個人差に伴う、臓器と器官との少なくとも一方の、位置と方向との少なくとも一方の変位を算出し、算出した前記変位に基づいて、前記第２の参照用医用画像データの、臓器と器官との少なくとも一方の、位置と方向との少なくとも一方を補正するものであることを特徴とする請求項１に記載の医用ガイドシステム。
【手続補正２】
【補正対象書類名】明細書
【補正対象項目名】００１５
【補正方法】変更
【補正の内容】
【００１５】
さらに、第３の発明による医用ガイドシステムは、上記第１の発明による医用ガイドシステムにおいて、前記保存手段が、前記医用画像データとして、前記医用器具を使用する以前に取得された被検者本人の本人医用画像データと、該本人医用画像データを取得したときの被検者と同一体位の他の被検者から前記医用器具を使用する以前に取得された第１の参照用医用画像データと、該本人医用画像データを取得したときの被検者とは異なる体位の前記他の被検者から前記医用器具を使用する以前に取得された第２の参照用医用画像データと、を保存するものであり、前記補正手段は、前記本人医用画像データと、前記第１の参照用医用画像データと、に基づいて、個人差に伴う、臓器と器官との少なくとも一方の、位置と方向との少なくとも一方の変位を算出し、算出した前記変位に基づいて、前記第２の参照用医用画像データの、臓器と器官との少なくとも一方の、位置と方向との少なくとも一方を補正するものである。
【手続補正３】
【補正対象書類名】明細書
【補正対象項目名】００１６
【補正方法】変更
【補正の内容】
【００１６】
このような第３の発明によれば、補正手段が、算出した変位に基づいて、第２の参照用医用画像データの、臓器と器官との少なくとも一方の、位置と方向との少なくとも一方を補正するために、被検者の体位によることなく、ガイド画像上の医用器具の位置を実際の医用器具の位置に高い精度で一致させることができる。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向け遊技球が打ち込まれる遊技盤と、
該遊技盤の遊技領域に配置され、遊技球が入賞可能な始動口と、
該始動口に遊技球が入賞したことを検出する始動検出手段と、
前記遊技領域に配置され、閉状態と開状態とを変化可能となっており、前記閉状態から前記開状態に変化させられることで遊技球が入賞可能となる開閉装置と、
該開閉装置に遊技球が入賞したことを検出する入賞検出手段と、
少なくとも図柄の変動表示を行うための変動表示手段と、
少なくとも変動表示のパターンである複数の変動パターンを記憶する変動情報記憶手段と、
前記始動検出手段による遊技球の検出に基づいて抽選を行う抽選手段、
前記変動情報記憶手段に記憶された前記変動パターンに基づいて、前記変動表示手段に、変動表示を行い、前記抽選手段による抽選結果に応じた停止表示を行う変動表示制御手段、
前記抽選手段による抽選に当選したことに応じ、前記開閉装置の開閉動作を行い、遊技者に遊技価値を付与可能な大当たり遊技を実行する大当たり遊技実行手段
を少なくとも有する遊技制御手段と
を備えた遊技機において、
前記変動情報記憶手段は、前記変動表示に用いられる図柄に関する情報を記憶する図柄情報記憶手段を含み、
前記変動表示制御手段は、前記図柄情報記憶手段に記憶された情報に基づき、通常図柄が変更された見た目の異なる図柄である特殊図柄を含む図柄の変動表示を実行可能となっており、
前記遊技制御手段は、さらに、前記変動表示手段によって前記特殊図柄が停止表示されると、前記図柄情報記憶手段に記憶された情報を変更することにより、前記特殊図柄を前記通常図柄に復元可能な図柄復元手段を有する
ことを特徴とする遊技機。
【請求項２】
前記図柄復元手段は、前記特殊図柄の復元数を決定する復元数決定手段と、該復元数決定手段にて決定される個数分だけ前記特殊図柄を前記通常図柄へ復元する復元手段とを有する
ことを特徴とする請求項１に記載の遊技機。
【請求項３】
前記変動表示制御手段によって、前記特殊図柄が停止表示されると、特別の演出が実行されるようになっており、
前記図柄復元手段は、前記停止表示された特殊図柄を、前記特別の演出のための通常図柄へ変更可能であり、その後、変更前の通常図柄へ復元可能である
ことを特徴とする請求項１または２に記載の遊技機。
【手続補正書】
【提出日】平成21年6月19日(2009.6.19)
【手続補正１】
【補正対象書類名】特許請求の範囲
【補正対象項目名】請求項５
【補正方法】変更
【補正の内容】
【請求項５】
血圧測定部位の動脈を圧迫する阻血用空気袋と、
前記阻血用空気袋の下方の略中央部よりも心臓側に配置されるサブ空気袋と、
前記阻血用空気袋の下方の略中央部に配置されるとともに、脈波を検出する脈波検出用空気袋と、
前記阻血用空気袋と前記サブ空気袋とに対して分岐して接続されるとともに、前記サブ空気袋との間で第１流体抵抗器を介して接続した第１配管と、
第２流体抵抗器を介して前記脈波検出用空気袋に対して接続される第２配管と、を備え、血圧測定部位に装着されるカフ本体を用いた血圧測定方法であって、
前記第２配管から分岐して接続されるカフ圧力検出部と、
前記第２流体抵抗器は、前記第１配管から分岐されてその加圧流体入口側が接続されるとともに、その減圧流体入口側が前記第２配管に接続され、
前記第１配管に接続されるとともに、前記カフ本体の加圧を行う加圧手段に接続される加圧制御部と、
前記第１配管に接続されるとともに、前記カフ本体の減圧を行う減圧制御部とを備え、
前記加圧制御部を介して前記動脈を圧迫する工程と、
前記カフ圧力検出部により、前記脈波を検出脈波信号に変換する工程と、
前記減圧制御部を介して前記カフ本体を減圧する工程と、
脈波検出部において、前記検出脈波信号に重畳する脈波を検出する工程と、
血圧検出部において、前記脈波検出部の出力と、前記カフ圧力検出部の検出カフ圧信号とに基づき血圧値を決定する工程と、
血圧表示部において、前記血圧検出部からの血圧値を表示する工程と、を備えることを特徴とする血圧測定方法。
【手続補正２】
【補正対象書類名】特許請求の範囲
【補正対象項目名】請求項６
【補正方法】変更
【補正の内容】
【請求項６】
血圧測定部位の動脈を圧迫する阻血用空気袋と、
前記阻血用空気袋の下方の略中央部よりも心臓側に配置されるサブ空気袋と、
前記阻血用空気袋の下方の略中央部に配置されるとともに、脈波を検出する脈波検出用空気袋と、
前記阻血用空気袋と前記サブ空気袋とに対して分岐して接続されるとともに、前記サブ空気袋との間で第１流体抵抗器を介して接続した第１配管と、
第２流体抵抗器を介して前記脈波検出用空気袋に対して接続される第２配管と、を備え、血圧測定部位に装着されるカフ本体を用いた血圧測定方法の制御プログラムが記憶されたコンピュータが読取り可能な記憶媒体であって、
前記第２配管から分岐して接続されるカフ圧力検出部と、
前記第２流体抵抗器は、前記第１配管から分岐されてその加圧流体入口側が接続されるとともに、その減圧流体入口側が前記第２配管に接続され、
前記第１配管に接続されるとともに、前記カフ本体の加圧を行う加圧手段に接続される加圧制御部と、
前記第１配管に接続されるとともに、前記カフ本体の減圧を行う減圧制御部とを備え、
前記加圧制御部を介して前記動脈を圧迫する工程のプログラムと、
前記カフ圧力検出部により、前記脈波を検出脈波信号に変換する工程のプログラムと、
前記減圧制御部により、前記カフ本体を減圧する工程のプログラムと、
脈波検出部において、前記検出脈波信号に重畳する脈波を検出する工程のプログラムと、
血圧検出部において、前記脈波検出部の出力と、前記カフ圧力検出部の検出カフ圧信号とに基づき血圧値を決定する工程のプログラムと、
血圧表示部において、前記血圧検出部からの血圧値を表示する工程のプログラムと、からなる血圧測定方法のプログラムが記憶されたことを特徴とするコンピュータ読取り可能な記憶媒体。
【手続補正書】
【提出日】平成21年6月29日(2009.6.29)
【手続補正１】
【補正対象書類名】明細書
【補正対象項目名】００２１
【補正方法】変更
【補正の内容】
【００２１】
本発明の目的は、被検体中の分析物濃度の非浸襲的測定精度の向上を図ることである。
【手続補正２】
【補正対象書類名】明細書
【補正対象項目名】００２３
【補正方法】変更
【補正の内容】
【００２３】
本発明によれば、被検体中の分析物濃度の非浸襲的測定精度の向上を図ることが可能となる。
【手続補正３】
【補正対象書類名】明細書
【補正対象項目名】００４５
【補正方法】変更
【補正の内容】
【００４５】
体外装置の較正は、問題の分析物の既知の濃度を有し、同じ機器及び試薬を使用して検査を実行する合成較正材料を使用することによって達成される。各較正用溶液の機器信号は、較正器の濃度にフィッティングされる。標準曲線が得られ、かつサンプル中の分析物の濃度を計算するために使用される。較正は、定期的に反復でき、かつ較正間の時間が長いほど、試薬／機器システムは良好である。
【手続補正書】
【提出日】平成21年6月25日(2009.6.25)
【手続補正１】
【補正対象書類名】特許請求の範囲
【補正対象項目名】請求項１
【補正方法】変更
【補正の内容】
【請求項１】
複数枚のコインを同時投入可能な複数枚コイン投入部と、
該複数枚コイン投入部の下部から連続して下方に向かって傾斜して延在する底部と、該底部の終端部に略垂直壁として形成され前記底部を流下してきたコインが触突するコイン触突壁と、該コイン触突壁壁面に沿って前記底部の終端部に開口形成され前記コインが前記コイン触突壁に沿った起立姿勢状態で下方へ送り出されるコイン送出口とを含むコイン通路部と、
を備えた遊技機において、
コインを１枚ずつ投入可能な１枚コイン投入口を有し、該１枚コイン投入口から投入されたコインを前記コイン送出口の側方から該コイン送出口内へ誘導する１枚コイン誘導部を有する１枚コイン投入路を備え、
前記１枚コイン誘導部は、
前記１枚コイン投入口から投入されたコインの下端が前記コイン送出口に進入した状態となる位置まで誘導可能に伸長していることを特徴とする遊技機。
【手続補正２】
【補正対象書類名】明細書
【補正対象項目名】００１２
【補正方法】変更
【補正の内容】
【００１２】
上記課題を解決する請求項１に記載した遊技機の発明は、
複数枚のコインを同時投入可能な複数枚コイン投入部と、該複数枚コイン投入部の下部から連続して下方に向かって傾斜して延在する底部と、該底部の終端部に略垂直壁として形成され底部を流下してきたコインが触突するコイン触突壁と、該コイン触突壁壁面に沿って底部の終端部に開口形成されコインがコイン触突壁に沿った起立姿勢状態で下方へ送り出されるコイン送出口とを含むコイン通路部と、を備えた遊技機において、コインを１枚ずつ投入可能な１枚コイン投入口を有し、該１枚コイン投入口から投入されたコインをコイン送出口の側方から該コイン送出口内へ誘導する１枚コイン誘導部を有する１枚コイン投入路を備え、１枚コイン誘導部は、コインの下端がコイン送出口に進入した状態となる位置まで誘導可能に伸長していることを特徴とする。